【事件の表示】
　特許第３０６３６０７号「自動製氷装置、及び冷蔵庫」の請求項５、１２ないし１４に係る特許に対する特許異議の申立てについて、次のとおり決定する。
【結　論】
　訂正を認める。
　本件特許異議の申立てを却下する。
【理　由】
１．手続の経緯
　本件特許第３０６３６０７号の出願は、平成８年２月２２日に出願され、平成１２年５月１２日に請求項１〜３０に係る発明について設定登録がなされたものであり、その後、本件請求項５、１２〜１４に係る発明の特許に対して、特許異議の申立がなされ、これに基づいて、取消理由通知がなされ、特許権者よりその指定期間内である平成１３年７月２６日に明細書の訂正請求がなされたものである。
　
２．訂正の適否
（１）訂正事項
　本件明細書につき、訂正請求書に添付された訂正明細書に記載される次のａ）〜ｄ）の訂正を求めるものである。
　
ａ）特許請求の範囲の請求項５、１２〜１４の記載を削除する。
　
ｂ）特許請求の範囲の請求項６〜１１の項番号をそれぞれ１繰り上げて、請求項５〜１０とするとともに、訂正前の請求項６に記載された「請求項１または請求項５記載の」を「請求項１に記載の」と、訂正前の請求項８に記載された「請求項７記載の」を「請求項６記載の」と、さらに訂正前の請求項１１に記載された「請求項１０記載の」を「請求項９記載の」とそれぞれ訂正する。
　
ｃ）特許請求の範囲の請求項１５〜３０の項番号をそれぞれ４繰り上げて、請求項１１〜２６とするとともに、訂正前の請求項２３〜２７に記載された「請求項２２記載の」を「請求項１８記載の」と、また訂正前の請求項２８に記載された「請求項２７記載の」を「請求項２３記載の」と、それぞれ訂正する。
　
ｄ）発明の詳細な説明の段落【００１８】、【００２５】〜【００２７】、【０１１２】、【０１１９】〜【０１２１】（訂正前の段落番号。以下、同様）の記載を削除するとともに、
　段落【００１９】に記載された「第６の発明」を「第５の発明」と、
　段落【００２０】に記載された「第７の発明」を「第６の発明」と、
　段落【００２１】に記載された「第８の発明」を「第７の発明」と、
　段落【００２２】に記載された「第９の発明」を「第８の発明」と、
　段落【００２３】に記載された「第１０の発明」を「第９の発明」と、
　段落【００２４】に記載された「第１１の発明」を「第１０の発明」と、
　段落【００２８】に記載された「第１５の発明」を「第１１の発明」と、
　段落【００２９】に記載された「第１６の発明」を「第１２の発明」と、
　段落【００３０】に記載された「第１７の発明」を「第１３の発明」と、
　段落【００３１】に記載された「第１８の発明」を「第１４の発明」と、
　段落【００３２】に記載された「第１９の発明」を「第１５の発明」と、
　段落【００３３】に記載された「第２０の発明」を「第１６の発明」と、
　段落【００３４】に記載された「第２１の発明」を「第１７の発明」と、
　段落【００３５】に記載された「第２２の発明」を「第１８の発明」と、
　段落【００３６】に記載された「第２３の発明」を「第１９の発明」と、
　段落【００３７】に記載された「第２４の発明」を「第２０の発明」と、
　段落【００３８】に記載された「第２５の発明」を「第２１の発明」と、
　段落【００３９】に記載された「第２６の発明」を「第２２の発明」と、
　段落【００４０】に記載された「第２７の発明」を「第２３の発明」と、
　段落【００４１】に記載された「第２８の発明」を「第２４の発明」と、
　段落【００４２】に記載された「第２９の発明」を「第２５の発明」と、
　段落【００４３】に記載された「第３０の発明」を「第２６の発明」と、
　段落【０１１３】に記載された「第６の発明」を「第５の発明」と、
　段落【０１１４】に記載された「第７の発明」を「第６の発明」と、
　段落【０１１５】に記載された「第８の発明」を「第７の発明」と、
　段落【０１１６】に記載された「第９の発明」を「第８の発明」と、
　段落【０１１７】に記載された「第１０の発明」を「第９の発明」と、
　段落【０１１８】に記載された「第１１の発明」を「第１０の発明」と、
　段落【０１２２】に記載された「第１５の発明」を「第１１の発明」と、
　段落【０１２３】に記載された「第１６の発明」を「第１２の発明」と、
　段落【０１２４】に記載された「第１７の発明」を「第１３の発明」と、
　段落【０１２５】に記載された「第１８の発明」を「第１４の発明」と、
　段落【０１２６】に記載された「第１９の発明」を「第１５の発明」と、
　段落【０１２７】に記載された「第２０の発明」を「第１６の発明」と、
　段落【０１２８】に記載された「第２１の発明」を「第１７の発明」と、
　段落【０１２９】に記載された「第２２の発明」を「第１８の発明」と、
　段落【０１３０】に記載された「第２３の発明」を「第１９の発明」と、
　段落【０１３１】に記載された「第２４の発明」を「第２０の発明」と、
　段落【０１３２】に記載された「第２５の発明」を「第２１の発明」と、
　段落【０１３３】に記載された「第２６の発明」を「第２２の発明」と、
　段落【０１３４】に記載された「第２７の発明」を「第２３の発明」と、
　段落【０１３５】に記載された「第２８の発明」を「第２４の発明」と、
　段落【０１３６】に記載された「第２９の発明」を「第２５の発明」と、
　段落【０１３７】に記載された「第３０の発明」を「第２６の発明」と、
それぞれ訂正する。
　
（２）訂正の目的の適否
　上記ａ）の訂正は特許異議の申し立てがなされている請求項５、１２〜１４を削除するものであって、特許請求の範囲の減縮を目的とするものであり、さらに、上記ｂ）〜ｄ）の訂正は、請求項５、１２〜１４の削除に伴い、特許請求の範囲及び発明の詳細な説明の欄の記載を整合させるものであって、特許請求の範囲及び発明の詳細な説明の欄の明瞭でない記載の釈明を目的とするものである。
　
（３）新規事項の有無及び拡張・変更の存否
　上記ａ）〜ｄ）の訂正は、本件明細書の記載の範囲内でなされるものであって、新規事項の追加に該当せず、また、実質的に特許請求の範囲を拡張又は変更するものでもない。
　
（４）独立特許要件について
　訂正請求で明瞭でない記載の釈明をした、すなわち、請求項５の記載の削除に伴い請求項５の引用を削除した訂正明細書の請求項５（訂正前の請求項６）に係る発明は、その特許請求の範囲の請求項５に記載されたとおりの以下のものであり、この発明は特許出願の際独立して特許を受けることができるものである。
　
「【請求項１】　水を貯蔵する給水タンクと、氷を生成する製氷皿と、上記給水タンク内の水を吸水して上記製氷皿へ供給する給水ポンプとを備え、上記給水タンクを冷蔵庫内を複数の貯蔵室に区画する仕切壁に形成された凹部に設置したことを特徴とする自動製氷装置。
【請求項５】　給水ポンプが回転数と流量が比例する自給式ポンプであることを特徴とする請求項１に記載の自動製氷装置。」
　
（５）訂正の適否の結論　
　上記訂正は、特許法第１２０条の４第２項及び同条第３項において準用する特許法第１２６条第２項から第４項までの規定に適合するので、当該訂正を認める。
　
３．特許異議申立について
　特許異議申立時における請求項５、１２〜１４に係る発明は、前記したとおり、平成１３年７月２６日付け訂正請求により削除されたものである。
　これにより、本件特許異議申立事件の申立の対象が存在しないので、この特許異議の申立は、不適法な申立であって、その補正をすることができないものである。
　したがって、本件特許異議申立は、特許法第１２０条の６第１項で準用する第１３５条の規定により却下すべきものである。
　よって、結論のとおり決定する。
【異議決定日】
平成１３年９月１１日（２００１．９．１１）
【訂正の要旨】
訂正の要旨
　訂正事項
ａ）特許請求の範囲の請求項５、１２〜１４の記載を削除する。
ｂ）特許請求の範囲の請求項６〜１１の項番号をそれぞれ１繰り上げて、請求項５〜１０とするとともに、訂正前の請求項６に記載された「請求項１または請求項５記載の」を「請求項１に記載の」と、訂正前の請求項８に記載された「請求項７記載の」を「請求項６記載の」と、さらに訂正前の請求項１１に記載された「請求項１０記載の」を「請求項９記載の」とそれぞれ訂正する。
ｃ）特許請求の範囲の請求項１５〜３０の項番号をそれぞれ４繰り上げて、請求項１１〜２６とするとともに、訂正前の請求項２３〜２７に記載された「請求項２２記載の」を「請求項１８記載の」と、また訂正前の請求項２８に記載された「請求項２７記載の」を「請求項２３記載の」と、それぞれ訂正する。
ｄ）発明の詳細な説明の段落【００１８】、【００２５】〜【００２７】、【０１１２】、【０１１９】〜【０１２１】（訂正前の段落番号。以下、同様）の記載を削除するとともに、
　段落【００１９】に記載された「第６の発明」を「第５の発明」と、
　段落【００２０】に記載された「第７の発明」を「第６の発明」と、
　段落【００２１】に記載された「第８の発明」を「第７の発明」と、
　段落【００２２】に記載された「第９の発明」を「第８の発明」と、
　段落【００２３】に記載された「第１０の発明」を「第９の発明」と、
　段落【００２４】に記載された「第１１の発明」を「第１０の発明」と、
　段落【００２８】に記載された「第１５の発明」を「第１１の発明」と、
　段落【００２９】に記載された「第１６の発明」を「第１２の発明」と、
　段落【００３０】に記載された「第１７の発明」を「第１３の発明」と、
　段落【００３１】に記載された「第１８の発明」を「第１４の発明」と、
　段落【００３２】に記載された「第１９の発明」を「第１５の発明」と、
　段落【００３３】に記載された「第２０の発明」を「第１６の発明」と、
　段落【００３４】に記載された「第２１の発明」を「第１７の発明」と、
　段落【００３５】に記載された「第２２の発明」を「第１８の発明」と、
　段落【００３６】に記載された「第２３の発明」を「第１９の発明」と、
　段落【００３７】に記載された「第２４の発明」を「第２０の発明」と、
　段落【００３８】に記載された「第２５の発明」を「第２１の発明」と、
　段落【００３９】に記載された「第２６の発明」を「第２２の発明」と、
　段落【００４０】に記載された「第２７の発明」を「第２３の発明」と、
　段落【００４１】に記載された「第２８の発明」を「第２４の発明」と、
　段落【００４２】に記載された「第２９の発明」を「第２５の発明」と、
　段落【００４３】に記載された「第３０の発明」を「第２６の発明」と、
　段落【０１１３】に記載された「第６の発明」を「第５の発明」と、
　段落【０１１４】に記載された「第７の発明」を「第６の発明」と、
　段落【０１１５】に記載された「第８の発明」を「第７の発明」と、
　段落【０１１６】に記載された「第９の発明」を「第８の発明」と、
　段落【０１１７】に記載された「第１０の発明」を「第９の発明」と、
　段落【０１１８】に記載された「第１１の発明」を「第１０の発明」と、
　段落【０１２２】に記載された「第１５の発明」を「第１１の発明」と、
　段落【０１２３】に記載された「第１６の発明」を「第１２の発明」と、
　段落【０１２４】に記載された「第１７の発明」を「第１３の発明」と、
　段落【０１２５】に記載された「第１８の発明」を「第１４の発明」と、
　段落【０１２６】に記載された「第１９の発明」を「第１５の発明」と、
　段落【０１２７】に記載された「第２０の発明」を「第１６の発明」と、
　段落【０１２８】に記載された「第２１の発明」を「第１７の発明」と、
　段落【０１２９】に記載された「第２２の発明」を「第１８の発明」と、
　段落【０１３０】に記載された「第２３の発明」を「第１９の発明」と、
　段落【０１３１】に記載された「第２４の発明」を「第２０の発明」と、
　段落【０１３２】に記載された「第２５の発明」を「第２１の発明」と、
　段落【０１３３】に記載された「第２６の発明」を「第２２の発明」と、
　段落【０１３４】に記載された「第２７の発明」を「第２３の発明」と、
　段落【０１３５】に記載された「第２８の発明」を「第２４の発明」と、
　段落【０１３６】に記載された「第２９の発明」を「第２５の発明」と、
　段落【０１３７】に記載された「第３０の発明」を「第２６の発明」と、
それぞれ訂正する。
（５４）【発明の名称】
自動製氷装置、及び冷蔵庫
（５７）【特許請求の範囲】
　【請求項１】　水を貯蔵する給水タンクと、氷を生成する製氷皿と、上記給水タンク内の水を吸水して上記製氷皿へ供給する給水ポンプとを備え、上記給水タンクを冷蔵庫内を複数の貯蔵室に区画する仕切壁に形成された凹部に設置したことを特徴とする自動製氷装置。
　【請求項２】　仕切壁の一方の面に形成された凹部により仕切壁の他方の面に凸部が形成されるように仕切壁を折り曲げて形成し、上記仕切壁に形成された凸部の側方に製氷皿を設けたことを特徴とする請求項１記載の自動製氷装置。
　【請求項３】　仕切壁の凹部を冷蔵庫の開閉扉側に形成し、製氷皿を上記仕切壁の凸部の後方に設置し、上記仕切壁の凹部に設置した給水タンクと上記製氷皿とが、左右方向及び上下方向で重なっていることを特徴とする請求項２記載の自動製氷装置。
　【請求項４】　電源投入時に給水ポンプを逆転運転することを特徴とする請求項１記載の自動製氷装置。
　【請求項５】　給水ポンプが回転数と流量が比例する自給式ポンプであることを特徴とする請求項１に記載の自動製氷装置。
　【請求項６】　庫内を複数の貯蔵室に区画する仕切壁に設けられた凹部に設置される給水タンクと、この給水タンクに固定され給水タンク内の水を吸水する吸水パイプと、氷を生成する製氷皿と、上記仕切壁を貫通し上記給水タンク内の水を上記製氷皿へ供給する供給パイプとを備え、上記給水タンクの上記仕切壁への設置と同時に上記吸水パイプと上記供給パイプの接続が行われることを特徴とする自動製氷装置。
　【請求項７】　吸水パイプと供給パイプとが接続されていないときに上記供給パイプの開口部を覆う軟質材料のカバーを設けたことを特徴とする請求項６記載の自動製氷装置。
　【請求項８】　冷蔵庫の庫内を複数の貯蔵室に区画する仕切壁に設けられた凹部に設置される給水タンクと、この給水タンクに固定され給水タンク内の水を吸水する吸水パイプと、氷を生成する製氷皿と、上記吸水パイプに接続され上記仕切壁を貫通して上記給水タンク内の水を上記製氷皿へ供給する供給パイプとを備え、上記吸水パイプの上記供給パイプに接続される開口部が上記給水タンク内の最高水位より上方に位置していることを特徴とする自動製氷装置。
　【請求項９】　給水タンクが透明な材料によって形成されていることを特徴とする請求項１記載の自動製氷装置。
　【請求項１０】　給水タンクを設置する仕切壁凹部の壁面に水位表示を設けたことを特徴とする請求項９記載の自動製氷装置。
　【請求項１１】　冷蔵庫の庫内に配置され給水を貯留する給水タンクと、この給水タンクの内部に設置され、貯留された給水を製氷皿に吐出するポンプと、このポンプを駆動する上記給水タンクの外部に設置された駆動装置と、上記給水タンクと上記製氷皿の間に水受け部と、を備え、この駆動装置が上記給水タンクに非接触で上記ポンプに駆動するトルクを伝え、上記ポンプに接続され水受け部に吐出する吐出管の吐出口は上記給水タンク最高水位より上方で、上記水受け部の上縁部より下方に位置することを特徴とする自動製氷装置。
　【請求項１２】　冷蔵庫の庫内に配置され給水を貯留する給水タンクと、この給水タンクの内部に設置され、貯留された給水を製氷皿に吐出するポンプと、このポンプを駆動する上記給水タンクの外部に設置された駆動装置と、を備え、この駆動装置が上記給水タンクに非接触で上記ポンプに駆動するトルクを伝え、上記給水タンク内に設けられたポンプ吸水口にフィルターを着脱可能に設置したことを特徴とする自動製氷装置。
　【請求項１３】　冷蔵庫の庫内に配置され給水を貯留する給水タンクと、この給水タンクの内部に設置され、貯留された給水を製氷皿に吐出するポンプと、このポンプを駆動する上記給水タンクの外部に設置された駆動装置と、を備え、この駆動装置が上記給水タンクに非接触で上記ポンプに駆動するトルクを伝え、冷蔵庫の庫内壁又は冷蔵庫の庫内に設けられ給水タンクを設置するタンク保持手段と給水タンクを部分的に接触させて上記給水タンクの３方向の位置を固定する位置決め手段を設けたことを特徴とする自動製氷装置。
　【請求項１４】　冷蔵庫の庫内に配置され給水を貯留する給水タンクと、この給水タンクの内部に設置され、貯留された給水を製氷皿に吐出するポンプと、このポンプを駆動する上記給水タンクの外部に設置された駆動装置と、を備え、この駆動装置が上記給水タンクに非接触で上記ポンプに駆動するトルクを伝え、上記ポンプの回転軸の一端が、ポンプ軸受に回転自在に支持され、また他端は、インペラに回転自在に保持されていることを特徴とする自動製氷装置。
　【請求項１５】　仕切壁の凹部の淵全周に周囲の仕切壁より高い、横方向に仕切る土手部を設けたことを特徴とする請求項１記載の自動製氷装置。
　【請求項１６】　仕切壁の凹部の淵全周を覆うフランジを給水タンクに設けたことを特徴とする請求項１記載の自動製氷装置。
　【請求項１７】　給水タンク上部に給水タンク内部のタンク内水量を目視可能な水位表示窓を設けたことを特徴とする請求項１記載の自動製氷装置。
　【請求項１８】　冷蔵庫の庫内を複数の貯蔵室に仕切る仕切壁と、この仕切壁に形成され給水タンクを収納する凹部と、上記仕切壁に仕切られた上記給水タンクを設けた貯蔵室とは異なる貯蔵室に配置され、上記給水タンクからの給水を受けて製氷する製氷皿と、を備えたことを特徴とする冷蔵庫。
　【請求項１９】　仕切壁凹部の淵を全周盛り上げたことを特徴とする請求項１８記載の冷蔵庫。
　【請求項２０】　仕切壁凹部の底部にタンクの底位置を決める突起を設けたことを特徴とする請求項１８記載の冷蔵庫。
　【請求項２１】　仕切壁凹部近傍に仕切壁端面に設けられた冷媒凝縮パイプからの熱を伝える熱伝導手段を設けたことを特徴とする請求項１８記載の冷蔵庫。
　【請求項２２】　仕切壁凹部近傍に給水タンク保温用ヒータを設け、このＯＮ／ＯＦＦを冷蔵庫の逆転同期とすることを特徴とした請求項１８記載の冷蔵庫。
　【請求項２３】　仕切壁凹部の上方の冷蔵庫扉体下部に、給水タンクに直接冷気が当たらないように冷気を遮る部材を設けたことを特徴とする請求項１８記載の冷蔵庫。
　【請求項２４】　冷気を遮る部材に、仕切壁に密着する冷気遮蔽手段を設けたことを特徴とする請求項２３記載の冷蔵庫。
　【請求項２５】　冷蔵庫の庫内に配置され給水を貯留する給水タンクと、この給水タンクの内部に設置され、貯留された給水を製氷皿に吐出するポンプと、このポンプを駆動する上記給水タンクの外部に設置された駆動装置と、を備え、この駆動装置が上記給水タンクに非接触で上記ポンプに駆動するトルクを伝え、上記ポンプに一体に設けられたＬ形のアングルに、スラスト方向、ラジアル方向の位置を固定する位置決め手段を設け、上記給水タンクに上記位置決め手段を係合して固定する係合部を設けることを特徴とする自動製氷装置。
　【請求項２６】　冷蔵庫の庫内に配置され給水を貯留する給水タンクと、この給水タンクの内部に設置され、貯留された給水を吐出する吐出口を有するポンプと、このポンプを駆動する上記給水タンクの外部に設置された駆動装置と、を備え、この駆動装置が上記給水タンクに非接触で上記ポンプに駆動するトルクを伝え、上記ポンプは、当該ポンプのケーシング内上部に上記吐出口の直径と同程度以下のエア抜き穴を設けることを特徴とする自動製氷装置。
【発明の詳細な説明】
　【０００１】
　【発明の属する技術分野】
　本発明は、製氷皿へ水を供給して製氷する自動製氷装置、及び自動製氷装置を設けた冷蔵庫に関するものである。
　【０００２】
　【従来の技術】
　従来の自動製氷装置として、例えば特開平６−３００４０２号公報に記載されたものがある。図４１は従来の自動製氷装置を適用した冷凍冷蔵庫の外観図であり、図４２は従来の自動製氷装置を示した概略図、図４３は従来の自動製氷装置の要部詳細断面図である。図４１において冷凍冷蔵庫１は冷蔵室２とこの冷蔵室２の下に配設された冷凍室３とを備えている。そして、冷蔵室２の下部には給水タンクコーナー４が設けられ冷凍室３の上部には製氷コーナー５が設けられており、これら給水タンクコーナー４と製氷コーナー５とに自動製氷装置が装備されている。
　【０００３】
　図４２に示すように、給水タンク４０は給水タンクコーナー４内に取り付けられており、給水タンク４０の下側には手が入る程の大径の取付口４１が設けられている。そして、この取付口４１に定量室４２が装着されている。定量室４２は図４３に示すように、取付口４１に螺合され中心部に流出口４３を有するキャップ４４と、上部に流入口４６を有する中ケース４５と、活性炭４８を有する上ケース４７とで構成されている。キャップ４４の流出口４３には、流出口４３を流入口４６を開閉するための連動弁４９が装着されている。連動弁４９は、流出口４３を塞ぐ流出弁５０と、流入口４６を塞ぐ流入弁５１とを有し、バネ５２によって図の下方に付勢されている。すなわち、連動弁４９の下方から力が加わらない場合には、バネ５２によって、連動弁４９が下げられるので、流入口４６が開き、流出口４３が閉じた状態になる。
　【０００４】
　また、中ケース４５は、キャップ４４にネジ止めまたは嵌め合い等で固定されており、その上部にはエア抜き４５ａが設けられている。そして、この中ケース４５上に上ケース４７がネジ止めまたは嵌め合い等で取り付けられ、活性炭４８を介して、給水タンク４０内の水を定量室４２内に流入させるようになっている。
　【０００５】
　定量室４２が装着された取付口４１の下側に、受け皿５４が配設され、この受け皿５４に設けられ下降傾斜した給水路５３に、駆動装置としての駆動機構５５が装着されている。駆動機構５５は、内部の電磁ソレノイドの電磁作用によって作動軸５６を上下させ、作動軸５６の先端に取り付けられたカサ５７によって、定量室４２の連動弁４９を上方に押すようになっている。カサ５７は、流出口４３からの水が給水路５３の取付孔５３ａ内に侵入しないようにするためのもので、シリコン系の材質で形成されている。これにより、駆動機構５５を作動させて、作動軸５６を上昇させると、連動弁４９が上方に押されて、流出口４３が開くと共に流入口４６が流入弁５１によって閉じられることになる。
　【０００６】
　駆動機構５５が装着された受け皿５４には、図４２に示すように、給水ポンプ５８が設置され、この給水ポンプ５８の上端に押出ホース５９が取り付けられている。押出ホース５９は、冷凍室３の製氷コーナー５まで延出しており、その先端が製氷コーナー５内の製氷皿２７の上に至っている。なお、給水ポンプ５８は、渦巻式ではなく、自給式のポンプである。自給式のポンプは、ポンプモータ回転数と吐出流量が比例するので、ポンプモータの駆動時間により製氷皿への水の供給量を制御することができる。
　【０００７】
　次に動作について説明する。駆動機構５５を作動させない状態では、定量室４２の連動弁４９にバネ５２の下方付勢力のみが働くので、流出口４３が流出弁５０によって閉じられ、流入口４６が開放された状態にある。したがって、この状態では、給水タンク４０内の水が、活性炭４８を通って上ケース４７内に入り、流入口４６を通って中ケース４５内に入り込み、定量室４２は満水となる。この中ケース４５内への水の流入は、エア抜き４５ａの作用によってスムーズに行われる。
　【０００８】
　次に、駆動機構５５を作動させると、作動軸５６が上昇し、カサ５７が連動弁４９の下端をバネ５２の付勢力に抗して押し上げる。この結果、流出口４３が開き、流入口４６が流入弁５１によって塞がれるので、中ケース４５内の水が流出口４３から受け皿５４に流出する。この受け皿５４上の水は、給水ポンプ５８の作用によって、押出ホース５９から製氷皿２７内に供給される。このとき、流入口４６が塞がれているので、受け皿５４に流出する水量はほぼ中ケース４５の容積に等しい。このため、中ケース４５の容積に対応した定量の水が製氷皿２７に供給されることになる。なお、流出口４３には、エア抜き用の孔がないので、水の流出時間は一定ではなく、受け皿５４内の水量の変位は一定ではないが、自給式の給水ポンプ５８によって直ちに吸入するので、受け皿５４に水は残らない。すなわち、水の流出時間にバラツキがあっても、水は受け皿５４に留まることなく、製氷皿２７に定量給水される。
　【０００９】
　図４４は、駆動機構５５と給水ポンプ５８との動作を制御する制御基板を示す概略図であり、図４５、図４６は、そのタイムチャート図である。制御基板６０は、冷凍冷蔵庫１に設けられ、駆動機構５５と給水ポンプ５８とに接続されている。なお、６１は制御基板６０の電源である。
　【００１０】
　図４５に示すように、この制御基板６０から給水開始信号が出力されると、駆動機構５５がＯＦＦから一定時間ＯＮになる。このとき、ｔ１秒後に、給水ポンプ５８がＯＦＦから一定時間ＯＮになるようなタイミングをとる。また、図４６に示すように、駆動機構５５がＯＮの後、ｔ２秒後に、給水ポンプ５８がＯＦＦから一定時間ＯＮになるようなタイミングをとるようにしてもよい。
　【００１１】
　このような駆動機構５５の動作により受け皿５４に溜まった水は、給水ポンプ５８により吸水され、受け皿５４内は空になる。なお、冷凍室３側に製氷皿２７を回転離氷させるためのギアボックス２８があり、ここで貯氷箱に溜まる氷の量を検知しており、氷の量が足りないときには、給水開始信号が制御基板６０から出力される。
　【００１２】
　【発明が解決しようとする課題】
　従来の自動製氷装置は以上のように、冷蔵室２内または冷凍室３内に突出して給水タンクコーナー４または製氷コーナー５が設けられているので、本来食品を貯蔵するスペースを減少させてしまうという問題があった。また、給水タンクコーナー４として別部品のケースが必要であり、コストアップを招いていた。また、ユーザーが中ケース４５をキャップ４４に固定する際に緩みがあると、流入口４６または流出口４３が確実に閉じず、製氷室２７に定量の水が供給できなくなるという問題があった。更に、押出ホース５９内や給水タンク４０内に水が残り、水の腐敗によってホース内が汚れる恐れがあった。
　【００１３】
　この発明は上記のような問題点を解消するためになされたもので、自動製氷装置搭載による食品貯蔵スペースの減少を大幅に抑えることができると共に、安価でかつユーザーの誤取り扱いが発生しても致命的な故障にはつながらずに均一な給水量を確保することができ、配管内に残水がなく、更に、簡単な構造で給水タンクの水の有無を容易に確認することができる自動製氷装置を提供することを目的とする。又、この発明はスペースを有効に生かせる冷蔵庫を提供することを目的とする。
　【００１４】
　【課題を解決するための手段】
　この発明の第１の発明に係る自動製氷装置は、水を貯蔵する給水タンクと、氷を生成する製氷皿と、給水タンク内の水を吸水して製氷皿へ供給する給水ポンプとを備え、給水タンクを冷蔵庫内を複数の貯蔵室に区画する仕切壁に形成された凹部に設置したものである。
　【００１５】
　またこの発明の第２の発明に係る自動製氷装置は、仕切壁の一方の面に形成された凹部により仕切壁の他方の面に凸部が形成されるように仕切壁を折り曲げて形成し、仕切壁に形成された凸部の側方に製氷皿を設けたものである。
　【００１６】
　またこの発明の第３の発明に係る自動製氷装置は、仕切壁の凹部を冷蔵庫の開閉扉側に形成し、製氷皿を仕切壁の凸部の後方に設置し、仕切壁の凹部に設置した給水タンクと製氷皿とが、左右方向及び上下方向で重なっているものである。
　【００１７】
　この発明の第４の発明に係る自動製氷装置は、電源投入時に給水ポンプを逆転運転するものである。
　【００１８】
　またこの発明の第５の発明に係る自動製氷装置は、給水ポンプを回転数と流量が比例する自給式ポンプにしたものである。
　【００１９】
　この発明の第６の発明に係る自動製氷装置は、庫内を複数の貯蔵室に区画する仕切壁に設けられた凹部に設置される給水タンクと、この給水タンクに固定され給水タンク内の水を吸水する吸水パイプと、氷を生成する製氷皿と、上記仕切壁を貫通し上記給水タンク内の水を上記製氷皿へ供給する供給パイプとを備え、上記給水タンクの上記仕切壁への設置と同時に上記吸水パイプと上記供給パイプの接続が行われるものである。
　【００２０】
　この発明の第７の発明に係る自動製氷装置は、吸水パイプと供給パイプとが接続されていないときに上記供給パイプの開口部を覆う軟質材料のカバーを設けたものである。
　【００２１】
　この発明の第８の発明に係る自動製氷装置は、冷蔵庫の庫内を複数の貯蔵室に区画する仕切壁に設けられた凹部に設置される給水タンクと、この給水タンクに固定され給水タンク内の水を吸水する吸水パイプと、氷を生成する製氷皿と、上記吸水パイプに接続され上記仕切壁を貫通して上記給水タンク内の水を上記製氷皿へ供給する供給パイプとを備え、上記吸水パイプの上記供給パイプに接続される開口部が上記給水タンク内の最高水位より上方に位置しているものである。
　【００２２】
　この発明の第９の発明に係る自動製氷装置は、給水タンクが透明な材料によって形成されているものである。
　【００２３】
　この発明の第１０の発明に係る自動製氷装置は、給水タンクを設置する仕切壁凹部の壁面に水位表示を設けたものである。
　【００２４】
　この発明の第１１の発明に係る自動製氷装置は、冷蔵庫の庫内に配置され給水を貯留する給水タンクと、この給水タンクの内部に設置され、貯留された給水を製氷皿に吐出するポンプと、このポンプを駆動する上記給水タンクの外部に設置された駆動装置と、上記給水タンクと上記製氷皿の間に水受け部と、を備え、この駆動装置が上記給水タンクに非接触で上記ポンプに駆動するトルクを伝え、上記ポンプに接続され水受け部に吐出する吐出管の吐出口は上記給水タンク最高水位より上方で、上記水受け部の上縁部より下方に位置するものである。
　【００２５】
　この発明の第１２の発明に係る自動製氷装置は、冷蔵庫の庫内に配置され給水を貯留する給水タンクと、この給水タンクの内部に設置され、貯留された給水を製氷皿に吐出するポンプと、このポンプを駆動する上記給水タンクの外部に設置された駆動装置と、を備え、この駆動装置が上記給水タンクに非接触で上記ポンプに駆動するトルクを伝え、上記給水タンク内に設けられたポンプ吸水口にフィルターを着脱可能に設置したものである。
　【００２６】
　この発明の第１３の発明に係る自動製氷装置は、冷蔵庫の庫内に配置され給水を貯留する給水タンクと、この給水タンクの内部に設置され、貯留された給水を製氷皿に吐出するポンプと、このポンプを駆動する上記給水タンクの外部に設置された駆動装置と、を備え、この駆動装置が上記給水タンクに非接触で上記ポンプに駆動するトルクを伝え、冷蔵庫の庫内壁又は冷蔵庫の庫内に設けられ給水タンクを設置するタンク保持手段と給水タンクを部分的に接触させて上記給水タンクの３方向の位置を固定する位置決め手段を設けたものである。
　【００２７】
　この発明の第１４の発明に係る自動製氷装置は、冷蔵庫の庫内に配置され給水を貯留する給水タンクと、この給水タンクの内部に設置され、貯留された給水を製氷皿に吐出するポンプと、このポンプを駆動する上記給水タンクの外部に設置された駆動装置と、を備え、この駆動装置が上記給水タンクに非接触で上記ポンプに駆動するトルクを伝え、上記ポンプの回転軸の一端が、ポンプ軸受に回転自在に支持され、また他端は、インペラに回転自在に保持されているものである。
　【００２８】
　この発明の第１５の発明に係る自動製氷装置は、仕切壁の凹部の淵全周に周囲の仕切壁より高い、横方向に仕切る土手部を設けたものである。
　【００２９】
　この発明の第１６の発明に係る自動製氷装置は、仕切壁の凹部の淵全周を覆うフランジを給水タンクに設けたものである。
　【００３０】
　この発明の第１７の発明に係る自動製氷装置は、給水タンク上部に給水タンク内部のタンク内水量を目視可能な水位表示窓を設けたものである。
　【００３１】
　この発明の第１８の発明に係る自動製氷装置は、冷蔵庫の庫内を複数の貯蔵室に仕切る仕切壁と、この仕切壁に形成され給水タンクを収納する凹部と、上記仕切壁に仕切られた上記給水タンクを設けた貯蔵室とは異なる貯蔵室に配置され、上記給水タンクからの給水を受けて製氷する製氷皿と、を備えたものである。
　【００３２】
　この発明の第１９の発明に係る自動製氷装置は、仕切壁凹部の淵を全周盛り上げたものである。
　【００３３】
　この発明の第２０の発明に係る自動製氷装置は、仕切壁凹部の底部にタンクの底位置を決める突起を設けたものである。
　【００３４】
　この発明の第２１の発明に係る自動製氷装置は、仕切壁凹部近傍に仕切壁端面に設けられた冷媒凝縮パイプからの熱を伝える熱伝導手段を設けたものである。
　【００３５】
　この発明の第２２の発明に係る自動製氷装置は、仕切壁凹部近傍に給水タンク保温用ヒータを設け、このＯＮ／ＯＦＦを冷蔵庫の逆転同期とするものである。
　【００３６】
　またこの発明の第２３の発明に係る冷蔵庫は、仕切壁凹部の上方の冷蔵庫扉体下部に、給水タンクに直接冷気が当たらないように冷気を遮る部材を設けたものである。
　【００３７】
　またこの発明の第２４の発明に係る冷蔵庫は、冷気を遮る部材に、仕切壁に密着する冷気遮蔽手段を設けたものである。
　【００３８】
　この発明の第２５の発明に係る自動製氷装置は、冷蔵庫の庫内に配置され給水を貯留する給水タンクと、この給水タンクの内部に設置され、貯留された給水を製氷皿に吐出するポンプと、このポンプを駆動する上記給水タンクの外部に設置された駆動装置と、を備え、この駆動装置が上記給水タンクに非接触で上記ポンプに駆動するトルクを伝え、上記ポンプに一体に設けられたＬ形のアングルに、スラスト方向、ラジアル方向の位置を固定する位置決め手段を設け、上記給水タンクに上記位置決め手段を係合して固定する係合部を設けるものである。
　【００３９】
　この発明の第２６の発明に係る自動製氷装置は、冷蔵庫の庫内に配置され給水を貯留する給水タンクと、この給水タンクの内部に設置され、貯留された給水を吐出する吐出口を有するポンプと、このポンプを駆動する上記給水タンクの外部に設置された駆動装置と、を備え、この駆動装置が上記給水タンクに非接触で上記ポンプに駆動するトルクを伝え、上記ポンプは、当該ポンプのケーシング内上部に上記吐出口の直径と同程度以下のエア抜き穴を設けるものである。
　【００４０】
　【発明の実施の形態】
発明の実施の形態１．
　以下、本発明の実施の形態について図面を参照して説明する。図１は、本発明の実施の形態に係る自動製氷装置が適用された冷蔵庫の横断面図であり、図２は本発明の実施の形態の自動製氷装置を示す横断面図である。図１において、冷凍冷蔵庫１は冷蔵室２とこの冷蔵室２の下に配設された冷凍室３とを備えている。そして、冷蔵室２と冷凍室３とを区画する仕切壁を折り曲げて形成した凹部に給水タンクコーナー４が配設され、それによって生じた冷凍室３の凸部の後方に製氷コーナー５が配設されている。
　【００４１】
　図２に示すように、給水タンク１０は、冷蔵室２と冷凍室３とを区画する仕切壁６に設けられた給水タンクコーナー４内に取り付けられ、給水タンク１０の上部の開口部は、小径の通気孔３４を有するフタ１２によりパッキン１１を間に介在させて閉じられている。給水タンク１０の中には、一定量の水を計量するための副室１７が給水タンク１０と一体成形で設けられており、その副室１７の開口部はパッキンＢ１６を間に介在させた状態でパイプユニットで塞がれている。パイプユニットは、副室１７の開口部を閉じて給水タンク１０内を主室３０と副室１７に仕切る仕切板としてのフランジ１８、このフランジ１８の周囲に取り付けられたパッキンＢ１６、給水タンク１０の外へ水を吸水する吸水パイプ１３、エア抜き１４および給水タンク１０の主室３０から副室１７へと水を導く小径孔１５が一体形成されたものである。吸水パイプ１３及びエア抜き１４は給水タンク１０の外へ連通しており、パイプユニットの小径孔１５より主室３０側には、活性炭浄水フィルタ２３がフィルタ固定部材３３を用いて固定されている。また、副室１７の容量は製氷皿２７のそれよりも若干小さくなるように形成されている。
　【００４２】
　給水タンク１０の外へ出た吸水パイプ１３は、仕切壁６上面には突出しない状態で給水タンク１０の上方を通り、水路を下方向ヘターンさせ仕切壁６に固定された吸入パイプ２２とつながる。吸水パイプ１３と吸入パイプ２２の間にはパッキンＣ２１が取り付けられており、その３者の密着を向上させるためのラッチ２０が吸入パイプ２２にコイルバネ３２と共に固定されている。また、吸水パイプ１３の吸入パイプ２２側の末端部１３ａは給水タンク１０の中で水が満水となった水位よりも常に上方に位置している。
　【００４３】
　２４は給水タンク１０から製氷皿２７へ水を供給するためのポンプであり、この実施例においては自給式ポンプを使用している。渦巻き式ポンプ等を使用してもよいが、自給式ポンプを使用すれば給水タンク１０の着脱の際の配線等が容易になる。吸入パイプ２２と自給式ポンプ２４の間には、軟質かつ食品衛生法上支障のない材料で成形されたサブパイプ２５が介在している。これは自給式ポンプ２４の吐出側についても同様である。このサブパイプ２５により、自給式ポンプ２４の振動が吸入パイプ２２、吐出パイプ２６に伝わることが極力抑えられる。吐出側のサブパイプ２５には吐出パイプ２６が接続されており、吐出パイプ２６から冷凍室３に位置している製氷皿２７へ水が導かれる。吸入パイプ２２とサブパイプ２５と吐出パイプ２６は仕切壁６を貫通しており、それぞれが接続されて、製氷皿２７に水を供給する配管である供給パイプを形成している。製氷皿２７は製氷皿２７にねじりモーメントを与え離氷させるギアボックス２８と共に仕切壁６に固定されている。仕切壁６の冷凍室３側の仕切壁凸部２９は、製氷皿１２７とギアボックス２８と上下方向と左右方向で重なっている。また、給水タンク１０と製氷皿２７及びギアボックス２８も、左右方向と上下方向で重なっている。
　【００４４】
　給水タンク１０の給水タンクコーナー４への取り付けは、給水タンク１０内に水を入れ、パイプユニットとパッキン１１とフタ１２を給水タンク１０にセットしてから行なう。給水タンク１０の設置は、仕切壁６の上方から行なわれ、設置と同時に、給水タンク１０側に固定されている吸水パイプ１３と仕切壁６に固定されている吸入パイプ２２との接続が行われる。
　【００４５】
　パイプ１３が吸入パイプ２２に挿入され始めると、吸入パイプ２２に固定されたラッチ２０をコイルバネ３２のバネ力に逆らって押し退ける。吸入パイプ２２内に固定されているパッキンＣ２１をパイプ１３が圧縮し、気密性が確保できた状態でラッチ２０がパイプ１３のストッパー１９を乗り越えてパイプ１３と吸入パイプ２２を軸方向で固定する。このようにして、給水タンク１０は仕切壁６に設けられた凹部である給水タンクコーナー４に完全に埋没する状態で設置される。タンク１０の取り外しの際は、前記の動作の逆を行ない、タンク１０の取り外しによってパイプ１３と吸入パイプ２２の接続も解除される。
　【００４６】
　次に、給水タンク１０から製氷皿２７への水の供給の動作について説明する。自動製氷装置が動作待機中は給水タンク１０内の副室１７は水で満たされている。自動製氷装置が動作を開始し給水動作の段階になると、自給式ポンプ２４のギアが噛み合いながら製氷皿２７側へ水を送る方向で回り始める。自給式ポンプ２４の回転数に比例して副室１７内の水量が減っていくが、この時、副室１７内への水の流入は小径孔１５のみからなので副室１７から自給式ポンプ２４によって運び出される水量に比べてわずかな量となる。副室１７内の水位がほぼゼロとなりパイプ１３、吸入パイプ２２、自給式ポンプ２４、吐出パイプ２６内に水が残っていない状態まで自給式ポンプ２４が回り停止し、製氷皿２７への水の供給は終了する。
　【００４７】
　この動作について、図３及び図４を用いて説明する。図３は自給式ポンプ２４の動作を制御する制御基板を示す概略図、図４はそのタイムチャート図である。図３において、５０は制御基板であり、自給式ポンプ２４、電源５１が接続されており、冷凍冷蔵庫１に設けられている。ギアボックス２８が貯氷箱に溜まる氷の量を検知し、氷の量が不足していることを検知すると、制御基板５０から給水開始信号が出力される。制御基板５０から給水開始信号が出力されると自給式ポンプ２４がＯＦＦから一定時間ＯＮになる。自給式ポンプ２４が動作すると、給水タンク１０内の副室１７の水は自給式ポンプ２４により吸水され、製氷皿２７に供給される。このとき副室１７内は空になるが、副室１７内に非常に遅いスピードで小径孔１５から水が侵入し、再び副室１７内は満水となる。その後再び氷の量が不足すると、自給式ポンプ２４が動作し、製氷皿２７に給水され、この動作が繰り返される。
　【００４８】
　以上のように、本発明の実施の形態の自動製氷装置によれば、給水タンク１０は仕切壁６に凹状に形成された給水タンクコーナー４内に上面がほぼ面一になるように設置されているため、冷蔵室２の床面に、つまり仕切壁６の上面に前後移動するようなケースを全巾で設置することが可能になる。また、水の定量供給を構造的に行ない、配管内に常に残水がないようにしているため水の腐敗による配管内の汚れを抑制することができ、製氷皿２７に常に一定の水量を供給できる。そして給水タンク１０に取り付けられているパイプ１３の吐出側端部が給水タンク１０内の満水水位よりも上方に位置しているので自給式ポンプ２４動作中に給水タンク１０が外されパイプ１３と吸入パイプ２２の接続が外れても、給水タンク１０の外へ流出してしまう水の量は最小に抑えられ水の流出が止まらないことを防ぐことができる。さらに、自給式ポンプ２４の振動が冷凍冷蔵庫１に伝わることを抑制しているので運転音が小さなシステムを構成できる。
　【００４９】
　なお、上記発明の実施の形態１では、仕切壁６を折り曲げて上部に凹部を形成すると共に下部に凸部ができるように形成されているが、仕切壁６上部にのみ凹部を形成するようにしてもよい。また、凹部は仕切壁の下部に形成してもよく、その場合は給水タンク１０を下方から取り付けるように構成すればよい。
　【００５０】
　また、上記発明の実施の形態１では、給水タンク１０に水を入れてからパイプユニット等をセットするように構成しているが、フタ１２に給水口を設けて、パイプユニット、パッキン１１、フタ１２を給水タンク１０にセットしてから、給水口を通して給水タンク１０内に水を入れてもよい。この場合、給水口から主室３０に入った水は小径孔１５を通って副室１７内に入り、副室１７内のエアはエア抜き１４を通って、給水タンク１０外へ排出される。また、給水タンク１０に水を入れる際にはフタ１２に設けられた通気孔３４からエアが排出される。
　【００５１】
発明の実施の形態２．
　発明の実施の形態２は、上記発明の実施の形態１と同じ構成の自動製氷装置を用いて、その制御方法を変えたものである。図５のフローチャートを用いて、この発明の実施の形態における動作を説明する。電源が投入されると、まず、自給式ポンプ２４は所定時間逆転運転を行ない、管内に残っている水を給水タンク１０側へ排出する。次にギアボックス２８により氷の量が不足していることが検知されると、自給式ポンプ２４は所定時間正転運転を行ない、製氷皿２７に水が供給される。管内の水が給水タンク１０内に排出されるとき、エア抜き１４の径を大きくしておけば、給水タンク１０内の水がエア抜き１４から外部に漏れることはない。
　【００５２】
　この発明の実施の形態によれば、停電等で自給式ポンプ２４の動作中に冷凍冷蔵庫１への電力供給が停止し、パイプ１３、吸入パイプ２２、自給式ポンプ２４、吐出パイプ２６の管内に水が溜まったままとなった場合でも、再び電力が投入されたときに自給式ポンプ２４が逆転運転を行ない、管内に残った水を給水タンク１０側へ排出するため、管内に残水はなくなり、常に定量の水を製氷皿２７に供給することができ、水が製氷皿２７の容量をオーバーして供給されることが防止される。
　【００５３】
発明の実施の形態３．
　図６は、上記実発明の実施の形態１とは設置位置の異なる自動製氷装置を搭載した冷凍冷蔵庫を示す概略横断面図である。図６（ａ）に示すように冷蔵室２の上部に冷凍室３を設け下部に野菜室３６を設けてもよいし、図６（ｂ）に示すように冷蔵室２の上部に冷凍室３を設け下部にチルド室３５や野菜室３６を設けてもよい。すなわち、給水タンクコーナー４がプラス温度帯の貯蔵室に設けられ、製氷コーナー５が冷凍室に設けられれば、上記発明の実施の形態と同様の作用効果を生じる。なお、図示してはいないが、給水タンク１０と製氷皿２７を結ぶ配管は、仕切壁、冷蔵庫本体の背面または側面を貫通させて設けられている。
　【００５４】
発明の実施の形態４．
　図７は本発明の実施の形態４に係る自動製氷装置に適用される給水タンク１０の構成を示す横断面図であり、図８はこの発明の実施の形態の制御のタイムチャート図である。本発明の実施の形態は給水タンク１０内に副室１７を設けず、自給式ポンプ２４の制御を変更した点が上記発明の実施の形態１と異なる。なお、自給式ポンプは、ポンプモータ回転数と吐出流量が比例するので、ポンプモータの駆動時間により製氷皿への水の供給量を制御することができる。
　【００５５】
　図７において給水タンク１０は、フタ１２、給水タンク１０とフタ１２との間に設けられたパッキン１１、フタ１２と一体形成された吸水パイプ１３、その吸水パイプ１３の給水タンク１０内の先端に固定するフィルタ固定部材３３及び活性炭浄水フィルタ２３にて構成されている。それ以外の構成は上記発明の実施の形態１と同一である。
　【００５６】
　次に動作について説明する。給水開始信号が制御基板５０より出力されると、自給式ポンプ２４が製氷皿２７が満水となる一定時間ＯＦＦからＯＮとなる。そして次に逆転運転をある一定時間行って終了する。それ以外の動作は、上記発明の実施の形態１と同一であるため説明を省略する。
　【００５７】
　以上のように、本発明の実施の形態の自動製氷装置によれば、給水タンク１０と製氷皿２７との間の配管に残水がなくなり、水の腐敗による管内の汚れを抑制できる。
　【００５８】
発明の実施の形態５．
　図９は本発明の発明の実施の形態に係る自動製氷装置の配管接続部断面図である。図９（ａ）は、給水タンク１０を仕切壁凹部に挿入前、図９（ｂ）は、給水タンク１０を仕切壁凹部に挿入後の図である。本発明の実施の形態は、上記発明の実施の形態１ないし発明の実施の形態４において、給水タンク１０に固定されている吸水パイプ１３と仕切壁６に固定されている吸入パイプ２２との接続部に、吸入パイプ２２側に異物が侵入することを防ぐカバー３７を設けたものである。
　【００５９】
　図９において、カバー３７は仕切壁３１に固定され給水タンク１０が設置されていない状態では、吸入パイプ２２の上方に水平に静止している。カバー３７は軟質な材料で作られており給水タンク１０側のパイプ吸水１３が給水タンク１０を仕切壁凹部に挿入と同時にカバー３７を変形させて吸入パイプ２２の上方を開放し吸水パイプ１３と吸入パイプ２２が接続する。上記吸水パイプ１３は吸入パイプ２２より小径であり挿入されている。なお、吸水パイプ１３を外すとカバー３７は自らの弾性力で元の水平位置に戻る。
　【００６０】
　吸入パイプ２２に異物が侵入すると、ギアに異物が詰まることにより回転しなくなり、自給式ポンプ２４がロックされてしまう場合もあるが、本発明の実施の形態によれば、給水タンク１０を外している間でも吸入パイプ２２への異物の侵入がなく、自給式ポンプ２４のロックや配管の詰まりを防ぐことができる。
　【００６１】
発明の実施の形態６．
　図１０は本発明の発明の実施の形態６に係る自動製氷装置の給水タンク１０及び給水タンク１０を設置する給水タンクコーナー４の要部を示した斜視図である。本実施例は、上記発明の実施の形態１ないし発明の実施の形態５の自動製氷装置において、給水タンク１０を透明材料で成形し、給水タンク１０の外側の給水タンクコーナー４の壁面の冷凍冷蔵庫１の前側から見て可視できる位置に、水位計３８を備えたものである。
　【００６２】
　図１０において給水タンクコーナー４は仕切壁６に凹部を形成することによって仕切壁６と一体に設けられており、給水タンク１０はその給水タンクコーナー４内に設置される。水位計３８は仕切壁６の図示した位置に設けられており、図１１に示すようにユーザーの目で確認することができる。給水タンク１０の中に水があり、水位計３８の途中の高さに水位が位置していると水の屈折率の違いにより水位より下の水位計３８の像は見ることができない。これを用いて、水位が下がってきて空になった時点で給水を促すような「給水」等の表示を水位計３８に施しておけばユーザーは、給水タンク１０への給水タイミングを知ることができる。上記動作を図１２で示し、図１２（ａ）は満水時、図１２（ｂ）は渇水時の図である。
　【００６３】
　以上のように本発明の実施の形態によれば給水タンク１０内の水の量をユーザーは容易に確認することが可能で、渇水表示にＬＥＤやリードＳＷを用いず水の量をダイレクトに表示するため、信頼性が高く安価な水量表示システムを得ることができる。
　【００６４】
発明の実施の形態７．
　以下、本発明の発明の実施の形態について図面を参照して説明する。図１３は、本発明の実施の形態７に係る自動製氷装置を示す横断面図であり、図１４は図１３の要部拡大図である。図１３において冷蔵室２と冷凍室３とを区画する仕切壁６に設けられている給水タンクコーナー４に給水ポンプ６９と、給水ポンプ６９とつながっている吐出口６８がセットされた給水タンク１０、がセットされていて、給水タンクコーナー４に一体で設けられた水受け部７０に吐出口６８が差し込まれている。水受け部７０には一体で設けられた流出口７１が冷蔵室２と冷凍室３を貫通する形で設けられており流出口７１の先には製氷皿２７が位置している。また、吐出口６８の先端は給水タンク１０の最高水位よりも上方で、水受け部７０の上縁部よりも下方に位置している。
　【００６５】
　次に図１４を用いて給水ポンプ６９周辺を説明する。給水ポンプ６９の中にはマグネット７３と着磁板７４及びＳＵＳ３０３製の軸７５とＳＵＳ３０４製のボール７６を有したインペラ７７が給水ポンプ６９と一体で成形された軸受７８に、軸７５が差し込まれる形で回転自在に保持されている。給水ポンプ６９には軸受側に吸込口７９があり、その先端にはメッシュフィルター１１１が取り付けられている。給水ポンプ６９には給水ポンプ６９の円周方向に吐出管の吐出口６８がある。給水ポンプ６９の軸受側と反対側にはボール７６がインペラ７７側に固定され、給水ポンプ６９のケーシングと接している。
　【００６６】
　次に動作について図１５、１６及び図１７を用いて説明する。図１５は給水ポンプ６９の動作状態を示す図で図１５（ａ）は給水ポンプ６９を軸方向から見た図、図１５（ｂ）はモータ７２の横断面図、図１５（ｃ）は平板状に２極以上で構成されている。図１６はモータ７２の動作を制御する制御基板を示す概略図、図１７はそのタイムチャート図である。
　図１６において、８２は制御基板であり、モータ７２、電源８３が接続されており、冷凍冷蔵庫１に設けられている。ギアボックス２８が貯氷箱に溜まる氷の量を検知し、氷の量が不足していることを検知すると、制御基板８２から給水開始信号が出力される。制御基板８２から給水開始信号が出力されると、モータ７２がＯＦＦから一定時間ＯＮになる。モータ７２がＯＮになるとモータ７２に接続された着磁板Ｂ８１と着磁板Ｂ８１に接着されたマグネットＢ８０が回転する。マグネットＢ８０と給水ポンプ６９側のマグネット７３は磁界を形成しており、磁力によってお互い引き合っているため、マグネットＢ８０とマグネット７３は同回転数で回転し、マグネット７３が取り付いているインペラ７７も同様に回転する。図１５（ａ）に示すような方向にインペラ７７が回転すると吐出口６８から水が流出すると共に吸水口７９から給水タンク１０内の水を吸い込むが、給水タンク１０内では、０．４ｍｍ×０．４ｍｍ以上の物体はメッシュフィルター１１１表面にホールドされる。
　一方、吐出口６８から流出した水は、水受け部７０、流出口７１を通って製氷皿２７へ供給される。
　【００６７】
　マグネット７３、８０は図１５（ｃ）の如く平板状に２極以上で構成されており、必要な磁力が得られる材質、フェライト系や希土類系等が選択して選ばれる。
　給水タンク１０は凹部に形成した給水タンクコーナ４に挿入されるが、例えば数ｍｍ程度の隙間を持って挿入しやすい構造となっている。一方給水ポンプ６９が給水タンク１０に差し込まれた状態では給水タンクのフタの吐出口差し込み位置によりタンク内の位置が決められるが、磁力により吸引されポンプのケーシングがタンク壁に接触してもポンプの回転には影響を与えない構造となっている。
　【００６８】
　すなわち、インペラ７７とケーシングとの間にはボール７６が存在し、しかもポンプが回転するとポンプ負圧によりインペラは軸受け７８側へ引かれるため回転体すなわちボール７６と固定部分であるケーシングとの摩擦を抑える構成となっている。タンクはプラスチックや非磁性体、例えばステンレス、ガラス等で２ｍｍ程度の厚みがある。
　また、モータ７２側の磁石８０とタンク間は充分な隙間を設け、直接接触をさけ、かつ仕切壁を介してもよい隙間としている。このようながたを含めた全隙間、約１０ｍｍ位を介してフェライト磁石７３、８０を対向させることで、モータの駆動力をポンプに伝えられると共に、一方ユーザーがタンクを凹部から着脱したり、あるいはタンク内からポンプおよび吐出口を着脱する際、磁力に妨げられずに簡単に行えるようにしている。
　また、ポンプをセットしたことは磁気力の吸引によりわかる、という効果もある。
　【００６９】
　また、給水タンクまわりの清掃は吐出口を含めたタンクを凹部から外へ取り出して簡単に行える。
　なお、フィルタ１１１はポンプへ圧入してあり、これを引き抜いて清掃することができる。
　また、ポンプは吐出口と一体のまま出入口を介して洗浄することができる。
　【００７０】
　以上のように、本発明の実施の形態の自動製氷装置によれば、給水ポンプ６９は給水タンク１０の中に設置されているため、給水ポンプ６９はユーザーが任意に洗浄することができる。また、吐出口７１と水受け部７０、流出口７１、製氷皿２７は図のように位置しているので、水受け部７０と吐出口６８の間にはシール等が要らない。
　そして、モータ７２と給水ポンプ６９は非接触なので非常に静かなシステムを構成でき、メッシュフィルター１１１が吸込口７９に取り付けられているので異物の流入を抑えることができ、インペラ７７がロックするようなことはなくなる。
　【００７１】
　図３５（ａ）は給水ポンプ６９の斜視図であり、給水ポンプ６９の吸水口７９の吸水側周辺部に数カ所凹部２１３を設けたものである。
　上記凹部２１３を設けることにより、吸水口７９が異物２１４で塞がれた場合にも、図３５（ｂ）のように、上記凹部２１３から水を吸水すること（バイパス）ができ、流量の大巾なダウンをおさえることができる。
　【００７２】
　なお、上記発明の実施の形態７では仕切壁６に設けられた給水タンクコーナー４に給水タンク１０がセットされているが、外付けの給水タンクコーナー４でもよい。
　【００７３】
発明の実施の形態８．
　発明の実施の形態８は上記発明の実施の形態７の構成に対し、給水タンクコーナー４の取り付け方法を変更したものである。発明の実施の形態７においてモータ７２は給水タンクコーナー４の給水タンク１０と反対側の面に設置されていて、給水タンクコーナー４と仕切壁６は一体であった。このままだと冷凍冷蔵庫１と比較して寿命の短い（一般的に）モータ７２が交換できない。そこで給水タンクコーナー４を仕切壁６と別体としたタンクホルダ８４を設け、タンクホルダ８４の裏側に図１８の如くモータケース８５に固定されたモータ７２をネジ８７にて取り付ける。そして、そのタンクホルダ８４を仕切壁６に全周にシール８６を配した形で取り付ける。タンクホルダ８４と仕切壁６との固定は再現性のあるネジ、爪、リベット等々のもので行なうこととする。シール８６は水密性を有したものである。
　【００７４】
　この発明の実施の形態によれば、タンクホルダ８４を仕切壁６と別体で構成したのでモータ７２の交換が可能なうえで、タンクホルダ８４と仕切壁６の間に水密性を有したシール８６を設けたのでモータ７２部への水の侵入は抑えられたままとなる。
　【００７５】
発明の実施の形態９．
　発明の実施の形態９は発明の実施の形態７、８と同じ構成の自動製氷装置において、給水ポンプ６９の位置精度に対しての配慮を付加したものである。図１９において８８は給水ポンプ６９と一体で設けたガイドであり、ガイド受８９に係合され、スラスト方向と図示方向のラジアル方向の位置ずれを抑制する。また、給水タンク１０にはガイド９０が設けられていて、タンクホルダ８４もしくは給水タンクコーナー４に設けられたガイド受９１に係合され、図示した２方向の位置ずれを抑制する。図２０に示すように、給水ポンプ６９からは吐出管の吐出口６８が給水タンク１０のフランジ穴部１１０に係合されている。
　図２０に示すように給水タンク１０の上部にフタ１２があり、フタ１２に一体で成形された押付部１２ｂによって吐出管の吐出口６８を固定し、給水ポンプ６９の図示方向の位置ずれを抑制している。
　【００７６】
　図３６（ａ）、図３６（ｂ）は本発明の実施の形態９に係る自動製氷装置の要部断面図である。吐出口６８を軟質材料を用いて形成し、給水タンク１０に係合させるための引掛部２１２を設けた。引掛部２１２を設けることにより、位置決めが正確に決まり、取付感も良くなる。
　図３６（ｂ）のように、フタ１２、吐出口６８、給水タンク６９間の空間を極力狭く（ほぼ空間はなし）することにより、吸水口６８を給水タンク６９にセットし忘れた時でも、フタ１２を閉めることにより、吸水口６８は給水タンク６９に自動的にセットされる。
　【００７７】
　この発明の実施の形態によれば、給水ポンプ６９と給水タンク１０がガイド８８及びガイド受、フタ１２に設けた押付部１２ｂによって位置ずれを防止しており、また、給水タンク１０とタンクホルダ８４がガイド９０及びガイド受９１によって位置ずれを防止しているので、タンクホルダ８４に発明の実施の形態８に示すようなモータ７２を取り付けた時にマグネット間の位置ずれを防止でき、脱調することなく確実に動力を伝達できる。
　【００７８】
発明の実施の形態１０．
　発明の実施の形態１０は発明の実施の形態７と同じ構成の自動製氷装置において、給水ポンプ６９の構造を変更したものである。図２１において、９２はインペラフタ、９３はキャップ、８７は給水ポンプ６９に一体で設けたネジ部である。インペラ７７にはフランジを有した軸７５とボール７６と着磁板７４とマグネット７３が取り付けられインペラフタ９２によって完全に封入される。インペラフタ９２はインペラ７７に接着もしくは、材料がＰＬ樹脂ならば熱溶着等によって完全に接着されている。以上のように構成されたインペラ７７の軸７５が給水ポンプ６９の軸受７８に挿入され、軸受７８と反対側の開放部はキャップ９３によって閉じられ、ネジ部８７によって締結される。
　また、モータ７２を駆動すると、インペラ７７が回転する。その際、軸７５及びボール７６はインペラに回転自在に保持されており軸受７８により保持されている。
　【００７９】
　この発明の実施の形態によれば、キャップ９３が取り外し可能であり、給水ポンプ６９の内部は分割可能なため、万が一給水ポンプ６９内に異物が混入しても洗浄除去することが可能となる。
　【００８０】
発明の実施の形態１１．
　図２２は本発明の実施の形態１１に係る自動製氷装置の斜視断面図である。図２２において、給水タンク１０は給水タンクコーナー４に埋没する形でセットされている。給水タンク４の淵には全周にわたって、横方向に仕切る、１ｍｍ〜５ｍｍの土手部１１０が仕切壁６と一体で設けられている。
　【００８１】
　以上のように本発明の実施の形態の自動製氷装置によれば、給水タンクコーナー４の淵に全周にわたって設けられた１ｍｍ〜５ｍｍの土手部１３０があるため、仕切壁６にこぼれた食汁等の異物が給水タンクコーナー４内に入り込むことを防止することができ、衛生的なシステムを構成できる。
　【００８２】
発明の実施の形態１２．
　図２３において、給水タンク１０の上部には全周にわたって給水タンク１０を給水タンクコーナー４にセットした場合に生じるクリアランスよりも大きいフランジＢ１３１を給水タンク１０と一体で設けた。このフランジＢ１３１により給水タンクコーナー４と給水タンク１０との隙間は完全に閉塞される。
　【００８３】
　この発明の実施の形態によれば、使用者が仕切壁６に食汁やゴミ等をこぼした場合でも、給水タンク１０と給水タンクコーナー４の隙間が完全に塞がれているため、食汁やゴミ等の流入を防止することができ、衛生的なシステムを構成できる。
　【００８４】
発明の実施の形態１３．
　発明の実施の形態１３は、上記発明の実施の形態１１もしくは１２と同じ構成の自動製氷装置を用いて、その構造にある要素を付加したものである。図２４において、給水タンクコーナー４の底部には部分的に突起１１２が設けられている。
　【００８５】
　この発明の実施の形態によれば、給水タンクコーナー４の底部にある突起１１２によって給水タンク１０との間には任意の空間１１３が生じるので、給水タンクコーナー４内に異物が流入してもある程度まではその空間１１３内に貯められる。これにより異物侵入による給水タンク１０のセット不具合が防止できる。
　【００８６】
発明の実施の形態１４．
　図２５は本発明の実施の形態１４に係る自動製氷装置に適用される給水タンクの保温構造を示す横断面図であり、１０２はフロントカバー、１０３は凝縮パイプ、１０４は凝縮パイプ１０３をフロントカバー１０２に密接させるクッション、１０７は凝縮パイプ１０３の熱を給水タンクコーナー４に伝える、例えばアルミテープ等の熱伝導率の高い材料を用いた熱伝導テープ、１０８はコードヒータ、なお、仕切壁６は上下外郭をＰＬ、その間にＰＳ−ＦＯもしくは硬質ポリウレタンフォームを充填させたサンドイッチ構造となっている。
　【００８７】
　次に動作について説明する。図２６は図２５にて説明したコードヒータ１０８の動作を、冷凍冷蔵庫の冷却運転状態と照らし合わせて表したタイミングチャートである。ＣＯＭＰ（図示せず）が動作し、かつ、冷蔵室２を冷却する為に冷蔵室２への冷気供給を制御している開閉ダンパ（図示せず）が開の場合には、コードヒータ１０８をＯＮとし、上記状態から開閉ダンパが閉となり、冷蔵室２に冷気が供給されなくなった場合にはＣＯＭＰで圧縮された高温高圧の冷媒が凝縮パイプ１０３内で凝縮する際、熱が熱伝導テープ１０７を伝って給水タンクコーナー４を加熱することのみなのでこれ以上の給水タンク１０の温度低下が起こらない。よって、コードヒータ１０８をこの場合ＯＦＦとする。
　次に、ＣＯＭＰがＯＦＦになった場合は、冷凍サイクル内の圧力バランスが一定になる方向で変化していく為凝縮パイプ１０３からの放熱は次第に低下してゆく。この時は冷蔵室２内の冷気が給水タンク１０から熱を奪ってゆくことのみなので、給水タンク１０が必要以上に冷却される可能性があるためで、ある一定時間（ｔ１）のみコードヒータ１０８をＯＮにし、ｔ１経過後は再びＯＦＦとする。そして、再び庫内の温度上昇によってＣＯＭＰがＯＮした場合は凝縮パイプ１０３からの放熱が始まるため、まだコードヒータ１０８はＯＮせずＯＦＦのままである。そして再び開閉ダンパが開となった場合、再びコードヒータ１０８をＯＮする。以降、このサイクルを順不同で繰り返す。
　【００８８】
　この発明の実施の形態によれば、給水タンク１０は常にある一定温度以上に保て、熱源に冷媒の凝縮熱を用いることで冷蔵庫の排熱を有効利用でき、また、コードヒータ１０８を冷蔵庫の運転状態によってＯＮ／ＯＦＦすることを併せることにより省エネルギーがはかれる。
　【００８９】
発明の実施の形態１５．
　図２７は上記発明の実施の形態１４と同じ構成の自動製氷装置を用いて、その構造にある要素を付加したものである。図２７において、仕切壁６の前方には冷蔵室２及び冷凍室３の開放部を閉塞する冷蔵庫扉１００ａ、冷凍室扉１００ｂがマグネットガスケット１０１を介して位置しており、冷蔵室扉１００ａには食品を収納する扉ポケット１０５が取り付けられている。扉ポケット１０５の下部奥側には仕切壁６と冷蔵室扉１００ａ閉状態で密接する冷房用遮蔽手段であるパッキン１０９が取り付けられている。また、扉ポケット１０５の奥壁面に冷気循環用の通風穴１１５が設けられている。
　【００９０】
　次に作用について説明する。扉ポケット１０５と仕切壁６の間には空間が存在しており、この空間の温度は冷蔵室２の冷却運転状態により左右される。ここで、この空間を扉ポケット１０５に設けたパッキン１０９を仕切壁６に密接させて閉空間とすることで空気断熱層にすることになる。そして、空間の温度は冷蔵室２の冷却運転状態に左右されにくくなる。扉ポケット１０５の食品を冷却した冷気は通風穴１１５を通って循環する。
　【００９１】
　この発明の実施の形態によれば、給水タンク１０の上部空間は空気断熱層となっているため、給水タンク１０から熱が奪われにくくなると共に、冷気循環用の通風穴１１５を設けたことで食品の冷却性能は維持される。
　【００９２】
　また、冷気を遮る扉ポケット１０５を設けたことにより、扉ポケット１０５内の食品等の汁が給水タンク１０に滴下することがなくなる。
　【００９３】
発明の実施の形態１６．
　図２８は本発明の実施の形態１６に係る自動製氷装置の給水タンク１０の構造を示す斜視外観図であり、図２９はその要部断面図である。図３０は本発明の実施の形態の構造体の製造方法を説明した断面図である。図２７において、給水タンク１０には透明材料からなる水位表示窓１２０が設けられており、図２９に示すように使用者が前側から可視できる向きに傾斜している水位表示窓１２０は給水タンク１０の底部に近いところまでえぐられている。そして、図３０に示すように給水タンク１０の上部裏側に熱溶着によって水位表示窓１２０が接着されるが、この時、給水タンク１０の穴部にはまる形でカバー１２１を給水タンク１０と水位表示窓１２０との間に挟み込み係止する。なお、溶着部は給水タンク１０穴部全周にわたっている。
　【００９４】
　水位表示窓１２０を設ける部分は、給水タンク１０を開閉可能に上部を別体化したフタ部１２２であってもよい。この構造を図３１に示す。
　【００９５】
　この発明の実施の形態によれば、給水タンク１０内壁に水滴が付着しても水位表示窓１２０には水滴と水と２つの像の境界が表示されるため、ユーザーは確実に給水タンク１０内の水量を確認できる。
　【００９６】
　図３７（ａ）は上記フタ部１２２形状を示す図、図３７（ｂ）、図３７（ｃ）は手掛部２１６に右手２１７を掛けた図である。図に示すように、上記フタ１２２に設けられた水位表示窓１２０の形を変形させ手掛部２１６を設け、上記手掛部２１６はフタ１２２の固定手段であるフラップ２１１に右手２１７の親指が掛からない様に、例えばフラップ２１１に直行する方向に手掛部２１６を設けると、図に示すように右手２１７を挿入し、フタ１２２をつかんだ時に、フラップ２１１に誤って手を引っ掛けることがなく、無意識にフラップ２１１を開放し給水タンク１０を落とすことはなくなる。
　【００９７】
　図３８（ａ）は上記フタ部１２２形状を示す図である。図３８（ｂ）はフラップ２１１閉状態の側面図、図３８（ｃ）はフラップ２１１開状態の側面図である。図に示すように、フラップ２１１の両側部にガード（リブ）２１０を設けたものである。上記ガード２１０は給水タンク１０に一体に設けたものある。上記ガード２１０を設けることにより、給水タンクを持ち運びするときに、物２１２等の角に当たりフラップ２１１が開いてしまうのを防ぐことができる。
　【００９８】
発明の実施の形態１７．
　図３２は本発明の実施の形態１７に係る自動製氷装置の給水タンク１０と給水ポンプ６９の構造を示す斜視外観図である。給水ポンプ６９と一体成形のＬ形アングル２０１を設け、Ｌ形アングル２０１に穴２０２を設け、ネジキャップ２０３と給水タンク１０のネジ部２０６の嵌合の間にＬ形アングル２０１を位置させることにより、給水タンク１０に給水ポンプ６９を固定するものである。
　【００９９】
　図３９は本発明の実施の形態１７に係る自動製氷装置の給水タンク１０と給水ポンプ６９の構造を示す斜視外観図である。給水ポンプ６９にキャップ９３が完全に閉まっていないときはＬ形アングル２０１が穴に２０２挿入できないよう、図に示す矢印間の寸法を規制した。
　上記寸法規制により、給水ポンプ６９のキャップ９３の閉め忘れを防ぐことができる。
　【０１００】
発明の実施の形態１８．
　図３３は給水ポンプ６９の動作状態を示す図で図３４は図３３の給水ポンプ６９のケーシング内の斜視外観図である。インペラ７７が回転すると液が外周に集まりエア（気体）が図３４の矢印の部分、即ち軸７５のセンターに集まり、停止するとケーシング内上部に集まる。この繰り返しによりケーシング内のエアは抜けずエア溜まり部２０５が発生する。そこで、給水ポンプ６９のケーシング内上部にあって、吐出口より回転方向の位置に、吐出口の直径と同程度以下のエア抜き穴２０４を設けることにより、エアの有無による水流量の変動がなくなり給水量が安定する。
　【０１０１】
　図４０は、本発明の実施の形態１８に係る給水ポンプ６９、吐出口６８の斜視図である。給水ポンプ６９に設けられたエア抜き穴２０４から噴き出す水が上方に上がらないように遮断するベロ部２１５を設けたものである。
　【０１０２】
　【発明の効果】
　以上説明したとおり第１の発明に係る自動製氷装置によれば、給水タンクを冷蔵庫内を複数の貯蔵室に区画する仕切壁に形成された凹部に設置したので、給水タンクを設置するケースを別部品で設ける必要がなく、また、食品の貯蔵スペースを減少させることがない。
　【０１０３】
　また第２の発明に係る自動製氷装置によれば、仕切壁の一方の面に形成された凹部により仕切壁の他方の面に凸部が形成されるように仕切壁を折り曲げて形成し、仕切壁に形成された凸部の側方に製氷皿を設けたので、製氷皿が設けられた貯蔵室においても食品の貯蔵スペースを減少させることがない。
　【０１０４】
　また第３の発明に係る自動製氷装置によれば、給水タンクを設置する仕切壁の凹部を冷蔵庫の開閉扉側に形成し、製氷皿を仕切壁の凸部の後方に設置し、仕切壁の凹部に設置した給水タンクと製氷皿とが、左右方向及び上下方向で重なっているため、食品の貯蔵スペースを減少させることがなく、また、給水タンクを設置しやすい。
　【０１０５】
　また第４の発明に係る自動製氷装置によれば、電源投入時に給水ポンプを逆転運転するので、停電等で給水ポンプの動作中に電力供給が停止した場合でも、給水タンクと製氷皿の間の配管に水が残らず、ほぼ一定の水量が製氷皿に供給でき、製氷皿の容量をオーバーすることを防止できる。
　【０１０６】
　またこの発明の第５の発明に係る自動製氷装置によれば、給水ポンプが回転数と流量が比例する自給式ポンプであるので、給水タンクの着脱時に配線の接続等が必要なく、また、給水ポンプの駆動時間により製氷皿への給水量を制御できるので、配管内に水を残さず、製氷皿へほぼ一定の水量を供給できる。
　【０１０７】
　また第６の発明に係る自動製氷装置によれば、庫内を複数の貯蔵室に区画する仕切壁に設けられた凹部に設置される給水タンクと、この給水タンクに固定され給水タンク内の水を吸水する吸水パイプと、氷を生成する製氷皿と、仕切壁を貫通し給水タンク内の水を製氷皿へ供給する供給パイプとを備え、給水タンクの仕切壁への設置と同時に吸水パイプと供給パイプの接続が行われるので、
給水タンク及びパイプの接続を容易に行うことができる。
　【０１０８】
　また第７の発明に係る自動製氷装置によれば、吸水パイプと供給パイプとが接続されていないときに供給パイプの開口部を覆う軟質材料のカバーを設けたので、供給パイプ内に異物が侵入することを防止でき、給水ポンプのロックや配管の詰まりを防止できる。
　【０１０９】
　また第８の発明に係る自動製氷装置によれば、冷蔵庫の庫内を複数の貯蔵室に区画する仕切壁に設けられた凹部に設置される給水タンクと、この給水タンクに固定され給水タンク内の水を吸水する吸水パイプと、氷を生成する製氷皿と、吸水パイプに接続され仕切壁を貫通して給水タンク内の水を製氷皿へ供給する供給パイプとを備え、吸水パイプの供給パイプに接続される開口部が給水タンク内の最高水位より上方に位置しているので、給水ポンプの動作中に給水タンクが外されても、給水タンク内の水が流出することを最小限に抑えることができる。
　【０１１０】
　また第９の発明に係る自動製氷装置によれば、給水タンクが透明な材料によって形成されているので、給水タンク内の水量が容易に確認できる。
　【０１１１】
　また第１０の発明に係る自動製氷装置によれば、給水タンクを設置する仕切壁凹部の壁面に水位表示を設けたので、安価な構成で給水タンク内の水量を容易に確認できる。
　【０１１２】
　また第１１の発明に係る自動製氷装置によれば、冷蔵庫の庫内に配置され給水を貯留する給水タンクと、この給水タンクの内部に設置され、貯留された給水を製氷皿に吐出するポンプと、このポンプを駆動する給水タンクの外部に設置された駆動装置と、給水タンクと製氷皿の間に水受け部と、を備え、この駆動装置が給水タンクに非接触でポンプに駆動するトルクを伝え、ポンプに接続され水受け部に吐出する吐出管の吐出口は給水タンク最高水位より上方で、水受け部の上縁部より下方に位置するので、ユーザーが給水ポンプを含めた給水経路のほとんどを任意に洗浄でき、かつ電気的、構造的にはモータと何等接続がないため、安全、静音化が図れる、と共に、給水ポンプ停止時に吐出口先端で水が切れ、かつ、水受け部から水があふれでることはない。
　【０１１３】
　また第１２の発明に係る自動製氷装置によれば、冷蔵庫の庫内に配置され給水を貯留する給水タンクと、この給水タンクの内部に設置され、貯留された給水を製氷皿に吐出するポンプと、このポンプを駆動する給水タンクの外部に設置された駆動装置と、を備え、この駆動装置が給水タンクに非接触でポンプに駆動するトルクを伝え、給水タンク内に設けられたポンプ吸水口にフィルターを着脱可能に設置したので、ユーザーが給水ポンプを含めた給水経路のほとんどを任意に洗浄でき、かつ電気的、構造的にはモータと何等接続がないため、安全、静音化が図れる、と共にくインペラ部がロックしてしまうような大きさのゴミをインペラ部に到達前に防ぐくとができ、かつ洗浄可能である。
　【０１１４】
　また第１３の発明に係る自動製氷装置によれば、冷蔵庫の庫内に配置され給水を貯留する給水タンクと、この給水タンクの内部に設置され、貯留された給水を製氷皿に吐出するポンプと、このポンプを駆動する給水タンクの外部に設置された駆動装置と、を備え、この駆動装置が給水タンクに非接触でポンプに駆動するトルクを伝え、冷蔵庫の庫内壁又は冷蔵庫の庫内に設けられ給水タンクを設置するタンク保持手段と給水タンクを部分的に接触させて給水タンクの３方向の位置を固定する位置決め手段を設けたので、ユーザーが給水ポンプを含めた給水経路のほとんどを任意に洗浄でき、かつ電気的、構造的にはモータと何等接続がないため、安全、静音化が図れる、と共に、マグネットの脱調現象が起こりにくくなる。
　【０１１５】
　また第１４の発明に係る自動製氷装置によれば、冷蔵庫の庫内に配置され給水を貯留する給水タンクと、この給水タンクの内部に設置され、貯留された給水を製氷皿に吐出するポンプと、このポンプを駆動する給水タンクの外部に設置された駆動装置と、を備え、この駆動装置が給水タンクに非接触でポンプに駆動するトルクを伝え、ポンプの回転軸の一端が、ポンプ軸受に回転自在に支持され、また他端は、インペラに回転自在に保持されているので、ユーザーが給水ポンプを含めた給水経路のほとんどを任意に洗浄でき、かつ電気的、構造的にはモータと何等接続がないため、安全、静音化が図れる、
と共に、分解後の部品点数が減少する。
　【０１１６】
　また第１５の発明に係る自動製氷装置によれば、仕切壁の凹部の淵全周に周囲の仕切壁より高い、横方向に仕切る土手部を設けたので、仕切壁にこぼれた食汁等の流入を防止できる。
　【０１１７】
　また第１６の発明に係る自動製氷装置によれば、仕切壁の凹部の淵全周を覆うフランジを給水タンクに設けたので、隙間を閉塞することが可能となり、給水タンクコーナーへの異物の流入を防止できる。
　【０１１８】
　また第１７の発明に係る自動製氷装置によれば、給水タンク上部に給水タンク内部のタンク内水量を目視可能な水位表示窓を設けたので、給水タンク壁面で水滴が付着しても、ユーザーは水滴群と水との境界部で水位を認識できる。
　【０１１９】
　また第１８の発明に係る冷蔵庫によれば、冷蔵庫の庫内を複数の貯蔵室に仕切る仕切壁と、この仕切壁に形成され給水タンクを収納する凹部と、仕切壁に仕切られた給水タンクを設けた貯蔵室とは異なる貯蔵室に配置され、給水タンクからの給水を受けて製氷する製氷皿と、を備えたので、スペースを有効に活用できる。
　【０１２０】
　また第１９の発明に係る冷蔵庫によれば、仕切壁凹部の淵を全周盛り上げたので、仕切壁にこぼれた食汁等の流入を防止できる。
　【０１２１】
　また第２０の発明に係る冷蔵庫によれば、仕切壁凹部の底部にタンクの底位置を決める突起を設けたので、給水タンクとの間に空間が生じ、ある程度、異物が流入しても給水タンクのセット不具合が生じないようにできる。
　【０１２２】
　また第２１の発明に係る冷蔵庫によれば、仕切壁凹部近傍に仕切壁端面に設けられた冷媒凝縮パイプからの熱を伝える熱伝導手段を設けたので、熱が熱伝導テープを伝って給水タンクコーナを加熱することのみなので給水タンクの温度低下がおこらない。
　【０１２３】
　また第２２の発明に係る冷蔵庫によれば、仕切壁凹部近傍に給水タンク保温用ヒータを設け、このＯＮ／ＯＦＦを冷蔵庫の逆転同期とするので、給水タンクの保温に凝縮パイプの熱を再利用し、コードヒータを適度にＯＮ／ＯＦＦさせることで、省エネをはかることができる。
　【０１２４】
　また第２３の発明に係る冷蔵庫においては、仕切壁凹部の上方の冷蔵庫扉体下部に、給水タンクに直接冷気が当たらないように冷気を遮る部材を設けたので、給水タンクの凍結を防止するとともに、冷気を遮る部材内の食品などの汁が給水タンクに滴下することを防ぐことができる。
　【０１２５】
　また第２４の発明に係る冷蔵庫においては、冷気を遮る部材に、仕切壁に密着する冷気遮蔽手段を設けたので、冷気を遮る部材と給水タンクとの間の空間を冷気遮蔽手段を用いて空気断熱層としたことで給水タンクの保温がより低入力でまかなえる。
　【０１２６】
　また第２５の発明に係る自動製氷装置によれば、冷蔵庫の庫内に配置され給水を貯留する給水タンクと、この給水タンクの内部に設置され、貯留された給水を製氷皿に吐出するポンプと、このポンプを駆動する給水タンクの外部に設置された駆動装置と、を備え、この駆動装置が給水タンクに非接触でポンプに駆動するトルクを伝え、ポンプに一体に設けられたＬ形のアングルに、スラスト方向、ラジアル方向の位置を固定する位置決め手段を設け、給水タンクに位置決め手段を係合して固定する係合部を設けるので、ユーザーが給水ポンプを含めた給水経路のほとんどを任意に洗浄でき、かつ電気的、構造的にはモータと何等接続がないため、安全、静音化が図れる、と共に、給水タンクに給水ポンプをしっかり固定できる。
　【０１２７】
　また第２６の発明に係る自動製氷装置によれば、冷蔵庫の庫内に配置され給水を貯留する給水タンクと、この給水タンクの内部に設置され、貯留された給水を吐出する吐出口を有するポンプと、このポンプを駆動する給水タンクの外部に設置された駆動装置と、を備え、この駆動装置が給水タンクに非接触でポンプに駆動するトルクを伝え、ポンプは、当該ポンプのケーシング内上部に吐出口の直径と同程度以下のエア抜き穴を設けるので、ユーザーが給水ポンプを含めた給水経路のほとんどを任意に洗浄でき、かつ電気的、構造的にはモータと何等接続がないため、安全、静音化が図れる、と共に、エアを抜くことにより、エアの有無による水流量の変動を防ぎ給水量が安定する。
【図面の簡単な説明】
　【図１】　本発明の自動製氷装置が適用される冷凍冷蔵庫の横断面図である。
　【図２】　本発明の実施の形態１における自動製氷装置を示す断面図である。
　【図３】　本発明の実施の形態１に適用される制御基板を示す概略図である。
　【図４】　本発明の実施の形態１における給水ポンプの動作を示すタイムチャート図である。
　【図５】　本発明の実施の形態２の自動製氷装置の制御を示すフローチャート図である。
　【図６】　本発明の実施の形態３における自動製氷装置の設置位置を変えた冷凍冷蔵庫の断面図である。
　【図７】　本発明の実施の形態４における自動製氷装置を示す断面図である。
　【図８】　本発明の実施の形態４における給水ポンプの動作を示すタイムチャート図である。
　【図９】　本発明の実施の形態５における給水タンク１０を仕切壁凹部に挿入前、挿入後の図である。
　【図１０】　本発明の実施の形態６における給水タンクを示す斜視図である。
　【図１１】　本発明の実施の形態６における給水タンクの断面図である。
　【図１２】　本発明の実施の形態６における満水時、渇水時の吸水タンクの斜視図である。
　【図１３】　本発明の実施の形態７における自動製氷装置を示す断面図である。
　【図１４】　図１３の要部拡大図である。
　【図１５】　本発明の実施の形態７における給水ポンプを示す断面図である。
　【図１６】　本発明の実施の形態７における給水ポンプの制御部を示す図である。
　【図１７】　本発明の実施の形態７における給水ポンプの動作を示すタイムチャート図である。
　【図１８】　本発明の実施の形態８における自動製氷装置を示す斜視断面図である。
　【図１９】　本発明の実施の形態９における自動製氷装置を示す斜視図である。
　【図２０】　本発明の実施の形態９における自動製氷装置を示す局部断面図である。
　【図２１】　本発明の実施の形態１０における給水ポンプを示す断面図である。
　【図２２】　本発明の実施の形態１１における自動製氷装置を示す斜視断面図である。
　【図２３】　本発明の実施の形態１２における自動製氷装置を示す斜視断面図である。
　【図２４】　本発明の実施の形態１３における自動製氷装置を示す横断面図である。
　【図２５】　本発明の実施の形態１４における自動製氷装置を示す横断面図である。
　【図２６】　本発明の実施の形態１４における自動製氷装置の動作を表すタイミングチャート図である。
　【図２７】　本発明の実施の形態１５における自動製氷装置を示す横断面図である。
　【図２８】　本発明の実施の形態１６における給水タンクを示す斜視図である。
　【図２９】　本発明の実施の形態１６における給水タンクを示す横断面図である。
　【図３０】　本発明の実施の形態１６における給水タンクの作り方を示した断面図である。
　【図３１】　本発明の実施の形態１６のその他の例を示した斜視図である。
　【図３２】　本発明の実施の形態１７の自動製氷装置の斜視外観図である。
　【図３３】　本発明の実施の形態１８における給水ポンプを示す断面図である。
　【図３４】　本発明の実施の形態１８における給水ポンプのケーシング内の斜視外観図である。
　【図３５】　本発明の実施の形態７における給水ポンプの斜視図である。
　【図３６】　本発明の実施の形態９における自動製氷装置の要部断面図である。
　【図３７】　本発明の実施の形態１６におけるフタ部の斜視図である。
　【図３８】　本発明の実施の形態１６におけるフタ部の斜視図である。
　【図３９】　本発明の実施の形態１７における自動製氷装置の要部斜視図である。
　【図４０】　本発明の実施の形態１８における自動製氷装置の要部斜視図である。
　【図４１】　従来の自動製氷装置を適用した冷凍冷蔵庫の外観図である。
　【図４２】　従来の自動製氷装置を示す概略断面図である。
　【図４３】　従来の自動製氷装置を示す要部詳細断面図である。
　【図４４】　従来例に適用される制御基板を示す概略図である。
　【図４５】　従来例の制御基板による駆動機構、給水ポンプの動作を示すタイムチャート図である。
　【図４６】　従来例の制御基板による他の動作を示すタイムチャート図である。
　【符号の説明】
　１　冷凍冷蔵庫、２　冷蔵室、３　冷凍室、４　給水タンクコーナー、５　製氷コーナー、６　仕切壁、１０　給水タンク、１１　パッキン、１２　フタ、１２ｂ　押付部、１３　吸水パイプ、１３ａ　吐出側端部、１４　エア抜き、１５　小径孔、１６　パッキンＢ、１７　副室、１８　フランジ、１９　ストッパー、２０　ラッチ、２１　パッキンＣ、２２　吸入パイプ、２３　活性炭浄水フィルタ、２４　自給式ポンプ、２５　サブパイプ、２６　吐出パイプ、２７　製氷皿、２８　ギアボックス、２９　仕切壁凸部、３０　主室、３４　通気孔、３５　チルド室、３６　野菜室、３７　カバー、３８　水位計、４０　給水タンク、４１　インペラ、６８　吐出口、６９　給水ポンプ、７０　水受け部、７１　流出口、７２　モータ、７３　マグネット、７４　着磁板、７５　軸、７６　ボール、７７　インペラ、７８　軸受、７９　吸込口、８０　マグネットＢ、８１　着磁板、８４　タンクホルダ、８５　モータケース、８６　シール、８７　ネジ、８８　ガイド、８９　ガイド受、９０　ガイド、９１　ガイド受、９２　インペラフタ、９３　キャップ、９４　フランジ、９５　ネジ、１００ａ　冷蔵室扉、１００ｂ　冷凍室扉、１０１　マグネットガスケット、１０２　フロントカバー、１０３　凝縮パイプ、１０４　クッション、１０５　扉ポケット、１０６　穴、１０７　熱伝導テープ、１０８　コードヒータ、１０９　パッキン、１１０　穴、１１１　メッシュフィルター、１１２　突起、１１３　空間、１１５　通風穴、１２０　水位表示窓、１２１　カバー、１２２　フタ、１３０　土手部、１３１　フランジ　２０１　Ｌ形アングル、２０２　穴、２０３　ネジキャップ、２０４　エア抜き穴、２０５　エア溜まり部、２０６　ネジ部、２１０　ガード、２１１　フラップ、２１３　凹部、２１４　異物、２１５　ベロ部、２１６　手掛部、２１７　右手。